(57)【要約】【課題】  開口部被覆装置の被覆傘体のねじれ変形が比較的高い押込み力の際にも防止されること。【解決手段】  開口部７を通って案内される軸１と、軸１と結合するとともにこれより横側に張出す被覆傘体６と、軸１と結合する係止機構３，４とを備える支持部材８の開口部を被覆するための装置であって、係止機構３，４は、軸方向の力が軸１へ作用する際、それが支持部材８に係止し、被覆傘体６が据置き領域で支持部材８の据置き側部（載置面）１１に接触するように装着される装置。被覆傘体６は硬い環状の外側部９、および外側部９と軸１との間に配置され外側部９より低い剛性を持つ環状の変形部１２を備える。【選択図】  図３
2008516160.tif 000002
【特許請求の範囲】
【請求項１】
開口部を通って案内される軸と、軸と結合するとともにこれより横側に張出す被覆傘体と、軸と結合する係止機構とを備える支持部材の開口部を被覆するための装置であって、
係止機構は、軸方向の力が軸へ作用する際支持部材と係止し、被覆傘体が据置き領域で支持部材の据置き側部に載置されるように構成される装置において、
被覆傘体（６）は硬い環状の外側部（９）を備え、外側部（９）と軸（１）との間に配置され外側部（９）より低い剛性を持つ環状の変形部（１２）を備えることを特徴とする装置。
【請求項２】
請求項１に記載の装置であって、被覆傘体（６）は単一体のプラスティック材より成ることを特徴とする装置。
【請求項３】
請求項１又は２に記載の装置であって、変形部（１２）は外側部（９）より小さい材料厚さを有することを特徴とする装置。
【請求項４】
請求項１，２および３のいずれかに記載の装置であって、外側部（９）の材料厚さは半径方向内側から半径方向外側へ連続的に増加することを特徴とする装置。
【請求項５】
請求項１，２，３および４のいずれかに記載の装置であって、変形部（１２）の剛性より高い剛性を有する環状の硬い内側部（１５）が変形部（１２）と軸（１）との間に備えられることを特徴とする装置。
【請求項６】
請求項５に記載の装置であって、無負荷状態で内側部（１５）は軸方向に外側部（９）から突出することを特徴とする装置。
【発明の詳細な説明】
【技術分野】
【０００１】
本発明は、請求項１の上位概念に記載の装置に係るものである。即ち、開口部を通って案内される軸と、軸と結合するとともにこれより横側に張出す被覆傘体と、軸と結合する係止機構とを備える支持部材の開口部を被覆するための装置であって、係止機構は、軸方向の力が軸へ作用する際支持部材と係止し、被覆傘体が据置き領域で支持部材の据置き側部に載置されるように構成される装置に関する。
【背景技術】
【０００２】
この種の装置は、例えばＤＥ  １０２  ４５  ２７６  Ａ１［特許文献１］によって公知である。これと同種の装置でもって、支持部材の開口部へ軸を挿入した後で、そして軸方向に押込み力が作用した後で支持部材と係止機構に係止することにより、開口部を被覆傘体で被覆することができる。支持部材と係止機構の係止の際、載置面（据置き側）での被覆傘体の比較的丈夫な着座、かくて開口部のきちんとした被覆をもたらす変形力が被覆傘体へ作用する。
【０００３】
しかしながらこれと同種の装置においては、比較的大きな力で押込む際、被覆傘体の縁部が縁側で曲がってしまい（波状になり）、好ましくない形で載置面から離反して（隙間をもって）取付くという傾向が被覆傘体にある。
【特許文献１】ＤＥ  １０２  ４５  ２７６  Ａ１
【発明の開示】
【発明が解決しようとする課題】
【０００４】
本発明は、大きな力で押込む際にもきちんとした（高い密着性の）被覆のできる冒頭に述べた種の装置を提供することを、その課題とするものである。
【課題を解決するための手段】
【０００５】
この課題は、請求項１に記載された特徴事項を有する冒頭で述べた形状の装置によって本発明により解決される。即ち、本発明の開口部被覆装置は、被覆傘体は硬い環状の外側部を備え、外側部と軸との間に配置され外側部より低い剛性を持つ環状の変形部を備えることを特徴とする。
【発明の効果】
【０００６】
本発明による装置において、被覆傘体は相対的に硬い（剛性の大きい）外側部に対して比較的柔軟（可撓性・フレキシブル）な変形部を備えることによって、変形力は内側にある変形部に吸収され、かくて外側の縁領域での外側部の浮上りを防ぐ。
【０００７】
更なる本発明の目的に沿った展開形態は従属請求項の対象に示される。
被覆傘体は単一体のプラスティック材より成ることを特徴とする。（形態１）
変形部は外側部より低い小さい材料厚さを有することを特徴とする。（形態２）
外側部の材料厚さは半径方向内側から半径方向外側へ連続的に増加することを特徴とする。（形態３）
変形部の剛性より高い剛性を有する環状の硬い内側部が変形部と軸との間に備えられることを特徴とする。（形態４）
無負荷状態で内側部は軸方向に外側部から突出することを特徴とする。（形態５）
【０００８】
本発明の好ましい実施態様を、図を参照として以下に詳述するが、そこから目的に沿った別の構成及び利点は明確となる。
【発明を実施するための最良の形態】
【０００９】
図１は本発明による装置の一実施態様を斜視図で示し、縦長の軸１を有する。軸1の脚端部２には、軸１の両側において軸から横方向の間隔（間隙）をもって脚端部（軸の下端部）２から軸1の頭端部（上端部）５の方向に遠ざかるように延びる、開示した実施態様においては係止機構の二個のばね作用のある横腕部３，４が備えられる。
【００１０】
更に本発明による装置は、提示した実施態様において、頭端部５の領域で軸１と結合する（連続して構成された）漏斗状の被覆傘体６を備える。被覆傘体６は、提示した実施態様において円状に形成され脚端部２の方向に開いている。
【００１１】
図２は図１に係る実施態様の側面図を示す。図２の状態において、装置の軸１は支持部材８の開口部７へ差込まれ、横腕部３，４は支持部材８との係止前の状態にある。被覆傘体６は環状の、被覆傘体６を半径方向外側で閉塞する外側部９を有し、この外側部の外周に、図２の状態で据置き領域で支持部材８の据置き側部（載置面）１１に配される厚くして形成した縁パッド１０が形成されるということが図２から明確である。
【００１２】
外側部９の半径方向内側を境界付ける外周線部１３から変形部１２の半径方向内側を境界付ける内周線部１４まで延在する環状の変形部１２が外側部９に接続するということが図２から読み取れる。図２の無負荷状態で、変形部１２は外側部９および段形成部の向い側、外周線部１３の領域で、軸１の長手方向に関して外側部９よりも小さな角度でもって延在し、外周線部１３から半径方向の距離が増加するにつれこの角度は再び増加する。
【００１３】
更に被覆傘体１６は、内周線部１４の内側に配され軸１に結合される皿状の内側部１５を備える。この無負荷状態で内側部１５は軸方向において外側部９より突出している。これにより軸１は、軸方向で支持部材８の方向へ押込み力（押圧力）を作用させる際、軸方向に比較的大きな移動距離だけ移動する。
【００１４】
被覆傘体６の外側部９は比較的硬く形成される。これに対し変形部１２は外側部９よりも低い剛性を有するとともに、内側部１５は変形部１２よりも高い剛性を有する。そこで本発明による装置は、好ましくは全体が、少なくとも被覆傘体６が、単一体のプラスティック材料から生成される。
【００１５】
図３は図１及び図２に従った実施態様で、横腕部３、４が支持部材８に係止された状態の断面図を示す。提示の実施態様で、変形部１２の材料厚さ（Materialstaerke）は外側部９のそれよりも、また内側部１５のそれよりも少なくとも断面形状において小さいということが図３から読み取れる。さらに、提示の実施態様で、外側部９の剛性が外側で最大になるように、材料厚さは外周線部１３から縁パッド（ないし増厚縁取り部、Randwulst）１０まで連続的に増加するということが、図３から明らかである。
【００１６】
かくて、図２に提示された内側部１５への無負荷状態から軸方向に支持部材８の方向へ押込み力が作用した後横腕部３，４が支持部材８にしっかり係止（拘止、背後で係合）するまで、この負荷状態で、外側部９よりも低い剛性を有しそれでもって容易に変形可能な変形部１２は、内側部１５が外周線部１３と縁パッド１０との間の（軸方向）位置になるように、図２に提示された状態に対して半径方向内側へ曲げられる。
【００１７】
本発明による被覆傘体６の構成によって、被覆傘体６の変形は、例えば比較的厚い支持部材８の場合のように比較的大きい力で押込まれたとしても、相対的に容易に変形可能で柔軟な変形部１２を画成することで達成され、その場合相対的に硬い外側部９が全く変形しないかあるいはごく僅かしか変形せず、さらには漏斗状の縁パッド１０が据置き側部１１から歪曲や突出によって突発的（スナップスプリング的）な変形が阻止される。
【図面の簡単な説明】
【００１８】
以下、図において、
【図１】は、本発明による装置の一実施態様の斜視図、
【図２】は、図１に係る実施態様の支持部材への係止前の側面図、および
【図３】は、図１および図２に係る実施態様の支持部材への係止後の断面図を示す。
【符号の説明】
【００１９】
１      軸
２      脚端部
３      横腕部
４      横腕部
５      頭端部
６      被覆傘体
７      開口部
８      支持部材
９      外側部
１０    縁パッド
１１    据置き側部（載置部）
１２    変形部
１３    外周線部
１４    内周線部
１５    内側部
【図１】
2008516160.tif 000003
【図２】
2008516160.tif 000004
【図３】
2008516160.tif 000005
【手続補正書】
【提出日】平成18年8月10日(2006.8.10)
【手続補正１】
【補正対象書類名】特許請求の範囲
【補正対象項目名】全文
【補正方法】変更
【補正の内容】
【特許請求の範囲】
【請求項１】
開口部を通って案内される軸と、軸と結合するとともにこれより横側に張出す被覆傘体と、軸と結合する係止機構とを備える支持部材の開口部を被覆するための装置であって、係止機構は、軸方向の力が軸へ作用する際支持部材と係止し、被覆傘体が据置き領域で支持部材の据置き側部に載置されるように構成されると共に、被覆傘体は硬い環状の外側部を備え、外側部と軸との間に配置され外側部より低い剛性を持つ環状の変形部を備える装置において、
被覆傘体（６）は漏斗状に形成されるとともに軸（１）の脚端部（２）の方向に開いていること、および変形部（１２）の剛性より高い剛性を有する環状の硬い内側部（１５）が変形部（１２）と軸（１）との間に備えられることを特徴とする装置。
【請求項２】
請求項１に記載の装置であって、被覆傘体（６）は単一体のプラスティック材より成ることを特徴とする装置。
【請求項３】
請求項１又は２に記載の装置であって、変形部（１２）は外側部（９）より小さい材料厚さを有することを特徴とする装置。
【請求項４】
請求項１，２および３のいずれかに記載の装置であって、外側部（９）の材料厚さは半径方向内側から半径方向外側へ連続的に増加することを特徴とする装置。
【請求項５】
請求項１，２，３および４のいずれかに記載の装置であって、無負荷状態で内側部（１５）は軸方向に外側部（９）から突出することを特徴とする装置。
【手続補正２】
【補正対象書類名】明細書
【補正対象項目名】全文
【補正方法】変更
【補正の内容】
【発明の詳細な説明】
【技術分野】
【０００１】
本発明は、請求項１の上位概念に記載の装置に係るものである。即ち、開口部を通って案内される軸と、軸と結合するとともにこれより横側に張出す被覆傘体と、軸と結合する係止機構とを備える支持部材の開口部を被覆するための装置であって、係止機構は、軸方向の力が軸へ作用する際支持部材と係止し、被覆傘体が据置き領域で支持部材の据置き側部に載置されるように構成されると共に、被覆傘体は硬い環状の外側部を備え、外側部と軸との間に配置され外側部より低い剛性を持つ環状の変形部を備える装置に関する。
【背景技術】
【０００２】
上述の種の装置はＦＲ  １  ５７４  ８７４  Ａ［特許文献１］によって公知であり、ここでは被覆傘体はフリー状態では軸の長手方向に対して本質的に直角に配置され、ロック状態では差込み方向とは逆に後方へ彎曲する。
【０００３】
ＵＳ  ４，９７３，２１２  Ａ［特許文献２］には支持部材と取付け部材との結合のための装置が公知であり、ここでは、比較的厚い結合すべき構成部材の場合軸が被覆傘体の外側の硬い環状の外側部に対して沈下可能となるように、軸の長手方向に対して本質的に直角に配向された被覆傘体が軸への結合領域で変形可能な部分を有する。
【０００４】
支持部材の開口部を被覆するためのさらに別の装置は、例えばＤＥ  １０２  ４５  ２７６  Ａ１［特許文献３］によって公知である。これと同種の装置でもって、支持部材の開口部へ軸を挿入した後で、そして軸方向に押込み力が作用した後で支持部材と係止機構に係止することにより、開口部を被覆傘体で被覆することができる。支持部材と係止機構の係止の際、載置面（据置き側）での被覆傘体の比較的丈夫な着座、かくて開口部のきちんとした被覆をもたらす変形力が被覆傘体へ作用する。
【特許文献１】ＦＲ  １  ５７４  ８７４  Ａ
【特許文献２】ＵＳ  ４，９７３，２１２  Ａ
【特許文献３】ＤＥ  １０２  ４５  ２７６  Ａ１
【発明の開示】
【発明が解決しようとする課題】
【０００５】
しかしながらこの種の装置においては、比較的大きな力で押込む際、被覆傘体の縁部が縁側で曲がってしまい（波状になり）、好ましくない形で載置面から離反して（隙間をもって）取付くという傾向が被覆傘体にある。本発明は、大きな力で押込む際にも高い密着性を有する冒頭に述べた種の装置を提供することを、その課題とするものである。
【０００６】
この課題は、請求項１に記載された特徴事項を有する冒頭で述べた形式の装置によって本発明により解決される。即ち、本発明の開口部被覆装置は、被覆傘体は漏斗状に形成されるとともに軸の脚端部の方向に開いていること、および変形部の剛性より高い剛性を有する環状の硬い内側部が変形部と軸との間に備えられることを特徴とする。
【発明の効果】
【０００７】
本発明による装置において、漏斗状の被覆傘体は相対的に硬い（剛性の大きい）外側部に対して比較的柔軟（可撓性・フレキシブル）な変形部を備えると共に、また反対に相対的に硬い内側部を備えることによって、変形力は内側にある変形部に吸収され、かくて外側の縁領域での外側部の浮上りを防ぐ。
【０００８】
更なる本発明の目的に沿った展開形態は従属請求項の対象に示される。即ち、
被覆傘体は単一体のプラスティック材より成ることを特徴とする。（形態１）
変形部は外側部より小さい材料厚さを有することを特徴とする。（形態２）
外側部の材料厚さは半径方向内側から半径方向外側へ連続的に増加することを特徴とする。（形態３）
無負荷状態で内側部は軸方向に外側部から突出することを特徴とする。（形態４）
【０００９】
本発明の好ましい実施態様を、図を参照として以下に詳述するが、そこから目的に沿った別の構成及び利点は明確となる。
【発明を実施するための最良の形態】
【００１０】
図１は本発明による装置の一実施態様を斜視図で示し、縦長の軸１を有する。軸1の脚端部２には、軸１の両側において軸から横方向の間隔（間隙）をもって脚端部（軸の下端部）２から軸１の頭端部（上端部）５の方向に遠ざかるように延びる、開示した実施態様においては係止機構の二個のばね作用のある横腕部３，４が備えられる。
【００１１】
更に本発明による装置は、提示した実施態様において、頭端部５の領域で軸１と結合する（連結して構成された）漏斗状の被覆傘体６を備える。被覆傘体６は、提示した実施態様において円状に形成され脚端部２の方向に開いている。
【００１２】
図２は図１に係る実施態様の側面図を示す。図２の状態において、装置の軸１は支持部材８の開口部７へ差込まれ、横腕部３，４は支持部材８との係止前の状態にある。被覆傘体６は環状の、被覆傘体６を半径方向外側で閉塞する外側部９を有し、この外側部の外周に、図２の状態で据置き領域で支持部材８の据置き側部（載置面）１１に配される厚くして形成した縁パッド１０が形成されるということが図２から明確である。
【００１３】
外側部９の半径方向内側を境界付ける外周線部１３から変形部１２の半径方向内側を境界付ける内周線部１４まで延在する環状の変形部１２が外側部９に接続するということが図２から読み取れる。図２の無負荷状態で、変形部１２は外側部９および段形成部の向い側、外周線部１３の領域で、軸１の長手方向に関して外側部９よりも小さな角度でもって延在し、外周線部１３から半径方向の距離が増加するにつれこの角度は再び増加する。
【００１４】
更に被覆傘体１６は、内周線部１４の内側に配され軸１に結合される皿状の内側部１５を備える。この無負荷状態で内側部１５は軸方向において外側部９より突出している。これにより軸１は、軸方向で支持部材８の方向へ押込み力（押圧力）を作用させる際、軸方向に比較的大きな移動距離だけ移動する。
【００１５】
被覆傘体６の外側部９は比較的硬く形成される。これに対し変形部１２は外側部９よりも低い剛性を有するとともに、内側部１５は変形部１２よりも高い剛性を有する。そこで本発明による装置は、好ましくは全体が、少なくとも被覆傘体６が、単一体のプラスティック材料から生成される。
【００１６】
図３は図１及び図２に従った実施態様で、横腕部３、４が支持部材８に係止された状態の断面図を示す。提示の実施態様で、変形部１２の材料厚さ（Materialstaerke）は外側部９のそれよりも、また内側部１５のそれよりも少なくとも断面形状において小さいということが図３から読み取れる。さらに、提示の実施態様で、外側部９の剛性が外側で最大になるように、材料厚さは外周線部１３から縁パッド（ないし増厚縁取り部、Randwulst）１０まで連続的に増加するということが、図３から明らかである。
【００１７】
かくて、図２に提示された内側部１５への無負荷状態から軸方向に支持部材８の方向へ押込み力が作用した後横腕部３，４が支持部材８にしっかり係止（拘止、背後で係合）するまで、この負荷状態で、外側部９よりも低い剛性を有しそれでもって容易に変形可能な変形部１２は、内側部１５が外周線部１３と縁パッド１０との間の（軸方向）位置になるように、図２に提示された状態に対して半径方向内側へ曲げられる。
【００１８】
本発明による被覆傘体６の構成によって、被覆傘体６の変形は、例えば比較的厚い支持部材８の場合のように比較的大きい力で押込まれたとしても、相対的に容易に変形可能で柔軟な変形部１２を画成することで達成され、その場合相対的に硬い外側部９が全く変形しないかあるいはごく僅かしか変形せず、さらには漏斗状の縁パッド１０が据置き側部１１から歪曲や突出によって突発的（スナップスプリング的）な変形が阻止される。
【図面の簡単な説明】
【００１９】
以下、図において、
【図１】は、本発明による装置の一実施態様の斜視図、
【図２】は、図１に係る実施態様の支持部材への係止前の側面図、および
【図３】は、図１および図２に係る実施態様の支持部材への係止後の断面図を示す。
【符号の説明】
【００２０】
１      軸
２      脚端部
３      横腕部
４      横腕部
５      頭端部
６      被覆傘体
７      開口部
８      支持部材
９      外側部
１０    縁パッド
１１    据置き側部（載置部）
１２    変形部
１３    外周線部
１４    内周線部
１５    内側部
【国際調査報告】
2008516160.tif 000006
2008516160.tif 000007
2008516160.tif 000008
2008516160.tif 000009